(57)【要約】【課題】清掃する箇所によってバッテリの取り付け位置を変えて楽に清掃することができるスティック型電気掃除機を提供すること。【解決手段】電動送風機、集塵部およびハンドルを有する掃除機本体と、吸込口体と、前記掃除機本体と前記吸込口体とを接続する延長管と、前記電動送風機に電力を供給するバッテリとを備え、  前記掃除機本体および前記吸込口体は前記バッテリを選択的に、かつ、着脱可能に接続するバッテリ接続部をそれぞれ有し、  前記延長管は、前記バッテリが前記吸込口体の前記バッテリ接続部に接続されたときに前記掃除機本体と前記吸込口体とを電気的に接続して前記バッテリからの電力を前記電動送風機に供給する導電体を有することを特徴とするスティック型電気掃除機。【選択図】図１
2020062209.tif 000002
【特許請求の範囲】
【請求項１】
電動送風機、集塵部およびハンドルを有する掃除機本体と、吸込口体と、前記掃除機本体と前記吸込口体とを接続する延長管と、前記電動送風機に電力を供給するバッテリとを備え、
前記掃除機本体および前記吸込口体は前記バッテリを選択的に、かつ、着脱可能に接続するバッテリ接続部をそれぞれ有し、
前記延長管は、前記バッテリが前記吸込口体の前記バッテリ接続部に接続されたときに前記掃除機本体と前記吸込口体とを電気的に接続して前記バッテリからの電力を前記電動送風機に供給する導電体を有することを特徴とするスティック型電気掃除機。
【請求項２】
少なくとも前記吸込口体の前記バッテリ接続部が、前記バッテリを着脱可能に装着する装着部と、装着された前記バッテリの給電端子に電気的に接続する受電端子とを有するバッテリ装着部である請求項１に記載のスティック型電気掃除機。
【請求項３】
前記バッテリを着脱可能に装着するバッテリホルダと、前記バッテリホルダに装着された前記バッテリにその一端が電気的に接続される電気コードとを有する給電装置をさらに備え、
前記掃除機本体の前記バッテリ接続部が、前記給電装置の前記電気コードの他端と電気的に、かつ、着脱可能に接続する電気コード接続部である請求項２に記載のスティック型電気掃除機。
【請求項４】
前記バッテリを着脱可能に装着するバッテリホルダをさらに備え、
前記掃除機本体および前記吸込口体のそれぞれの前記バッテリ接続部が、前記バッテリホルダと着脱可能に接続する接続口部を有し、
前記バッテリホルダは、前記バッテリの装着時に前記バッテリの給電端子と電気的に接続される中継端子を有し、
前記接続口部は、前記中継端子と電気的に接続可能な受電端子を有する請求項１に記載のスティック型電気掃除機。
【請求項５】
前記掃除機本体および前記吸込口体のそれぞれが、前記接続口部を揺動可能に有する請求項４に記載のスティック型電気掃除機。
【請求項６】
前記掃除機本体は、前記掃除機本体の重力方向に対する傾き具合を検知する傾き検知部と、案内を発するための報知部と、前記傾き検知部からの検知信号を受けて前記報知部に出力する制御部とをさらに備え、
前記制御部は、前記掃除機本体の傾き具合が所定の傾斜角度を超えると前記報知部を作動させるように構成された請求項１〜５のいずれか１つに記載のスティック型電気掃除機。
【発明の詳細な説明】
【技術分野】
【０００１】
本発明は、スティック型電気掃除機に関する。
【背景技術】
【０００２】
従来のスティック型電気掃除機として、例えば特許文献１では、電動送風機、集塵部およびハンドルを有する掃除機本体と、吸込口体と、掃除機本体と吸込口体とを接続する延長管と、電動送風機に電力を供給するバッテリとを備え、掃除機本体の後部のバッテリ装着部にバッテリが着脱可能に装着されたスティック型電気掃除機が提案されている。
【先行技術文献】
【特許文献】
【０００３】
【特許文献１】特開２０１７−１２３０４号公報
【発明の概要】
【発明が解決しようとする課題】
【０００４】
前記従来のようなスティック型電気掃除機は、ハンドル側（手元側）に重量物であるバッテリが配置されるため、床面（低い箇所、低所）を清掃する際に手元が重く、ハンドル操作がしにくいという問題があった。
そこで、吸込口体側にバッテリを配置すれば手元側が軽くなってハンドル操作がしやすくなると考えられるが、壁面や天井面、棚の上やエアコンなどの高い箇所（高所）を清掃する際は吸込口体側が重くなっているため、ハンドルを支持する手首や腕等が疲れやすくなるという別の問題が生じる。
【０００５】
本発明は、このような課題に鑑みなされたものであり、清掃する箇所によって発生する使用者の負担を軽減できるスティック型電気掃除機を提供することを目的とする。
【課題を解決するための手段】
【０００６】
本発明によれば、電動送風機、集塵部およびハンドルを有する掃除機本体と、吸込口体と、前記掃除機本体と前記吸込口体とを接続する延長管と、前記電動送風機に電力を供給するバッテリとを備え、
前記掃除機本体および前記吸込口体は前記バッテリを選択的に、かつ、着脱可能に接続するバッテリ接続部をそれぞれ有し、
前記延長管は、前記バッテリが前記吸込口体の前記バッテリ接続部に接続されたときに前記掃除機本体と前記吸込口体とを電気的に接続して前記バッテリからの電力を前記電動送風機に供給する導電体を有するスティック型電気掃除機が提供される。
【発明の効果】
【０００７】
本発明のスティック型電気掃除機によれば、清掃する箇所に応じてバッテリの取り付け位置を適正な位置に変えて清掃することができる。
【図面の簡単な説明】
【０００８】
【図１】本発明のスティック型電気掃除機の実施形態１を示す斜視図である。
【図２】実施形態１のスティック型電気掃除機における駆動装置を左側前方から視た斜視図である。
【図３】実施形態１のスティック型電気掃除機における吸込口体を右側後方から視た斜視図である。
【図４】実施形態１のスティック型電気掃除機における制御系を説明するブロック図である。
【図５】（Ａ）および（Ｂ）は実施形態１のスティック型電気掃除機における傾き検知部の動作を説明する図である。
【図６】実施形態１のスティック型電気掃除機の床面清掃状態を示す説明図である。
【図７】実施形態１のスティック型電気掃除機の壁面（高所の一例）清掃開始前の状態を示す説明図である。
【図８】実施形態１のスティック型電気掃除機の壁面（高所の一例）清掃状態を示す説明図である。
【図９】実施形態２のティック型電気掃除機における掃除機本体を示す左側面図である。
【図１０】実施形態２のティック型電気掃除機における吸込口体を右側後方から視た斜視図である。
【図１１】実施形態３のスティック型電気掃除機を示す斜視図である。
【図１２】実施形態３のスティック型電気掃除機の壁面（高所の一例）清掃状態を示す説明図である。
【発明を実施するための形態】
【０００９】
（実施形態１）
図１は本発明のスティック型電気掃除機の実施形態１を示す斜視図であり、図２は実施形態１のスティック型電気掃除機における駆動装置を左側前方から視た斜視図である。また、図３は実施形態１のスティック型電気掃除機における吸込口体を右側後方から視た斜視図であり、図４は実施形態１のスティック型電気掃除機における制御系を説明するブロック図である。なお、図２および図３において、矢印は吸込口体の前後左右上下の方向を示している。
【００１０】
図１に示すように、このスティック型電気掃除機Ａ１は、駆動装置１１および駆動装置１１に着脱可能に取り付けられる集塵部としての集塵ユニット１２を有する掃除機本体１０と、吸込口体３０と、掃除機本体１０と吸込口体３０とを接続する延長管２０と、バッテリ４０とを備える。
実施形態１のスティック型電気掃除機Ａ１の場合、掃除機本体１０および吸込口体３０はバッテリ４０を選択的に、かつ、着脱可能に接続するバッテリ接続部（後述のバッテリ装着部１１ｅ、３１ｂ）をそれぞれ有することを特徴の１つとしている。
以下、スティック型電気掃除機Ａ１の各構成要素について詳しく説明する。
【００１１】
＜掃除機本体＞
図１、図２および図４に示すように、掃除機本体１０の駆動装置１１は、後部にハンドル１１ａａを有する筐体１１ａと、筐体１１ａ内に設けられた電動送風機１１ｂ、制御部（マイコン）１１ｃおよび傾き検知部１１ｄと、筐体１１ａの後部下方に設けられたバッテリ接続部としてのバッテリ装着部１１ｅと、ハンドル１１ａａの一部に設けられて電動送風機１１ｂの駆動をＯＮとＯＦＦに切り替える操作スイッチ１１ｆとを備える。なお、筐体１１ａにおいて、ハンドル１１ａａ側が後部、ハンドル１１ａａと反対側に設けられた後述の第１接続口１１ａｂ側が前部、バッテリ装着部１１ｅ側が下部、バッテリ装着部１１ｅと反対側が上部である。
【００１２】
バッテリ装着部１１ｅは、バッテリ４０を着脱可能に装着する後方および下方に開口する凹形の装着部１１ｅａを有し、装着部１１ｅａの左右内壁面には前後方向に延びる図示しないガイド溝部が設けられている。
一方、バッテリ４０は、バッテリ装着部１１ｅの装着部１１ｅａに前後方向に着脱可能な形状およびサイズに形成されており、その左右側面には装着部１１ｅａの左右のガイド溝部に嵌り込む図示しない凸条部４０ａを有している。
【００１３】
また、バッテリ４０は、バッテリ装着部１１ｅ内の前端部（奥部）側に挿入される前端部に給電端子（不図示）を有している。
一方、バッテリ装着部１１ｅは、装着部１１ｅａに装着されたバッテリ４０の給電端子と電気的に接続する受電端子（不図示）を装着部１１ｅａの奥部に有しおり、受電端子はリード線を介して図示しない電動送風機駆動回路に電気的に接続されている。
なお、バッテリ４０とバッテリ装着部１１ｅの装着部１１ｅａとは、係止爪が係止凹部に係脱可能に係止してロックするロック機構によって装着部１１ｅａでのバッテリ４０の装着状態が維持され、ロックを解除することによってバッテリ４０を装着部１１ｅａから取り外せるように構成されてもよい。
【００１４】
図１、図４、図５（Ａ）および（Ｂ）に示すように、傾き検知部１１ｄは、掃除機本体１０の傾きを検知するセンサであり、例えば、筐体１１ａ内における操作スイッチ１１ｆの前方位置に設けられている。
実施形態１の場合、傾き検知部１１ｄは、密閉されたケース１１ｄａと、ケース１１ｄａ内に往復移動可能に設けられた光を透さないボール（例えば黒いボール）１１ｄｂと、ケース１１ｄａの長手方向の一端部側に対向して配置された投光部１１ｄｃおよび受光部１１ｄｄとを有し、受光部１１ｄｄは制御部１１ｃへ向けて検知信号を出力するように構成されている。なお、図５（Ａ）および（Ｂ）では、傾き検知部１１ｄにおける投光部１１ｄｃおよび受光部１１ｄｄが配置された端部側に延長管２０および吸込口体３０が配置され、傾き検知部１１ｄにおける投光部１１ｄｃおよび受光部１１ｄｄが配置されていない端部側に掃除機本体１０のハンドル１１ａａが配置されている場合を図示している。
【００１５】
この光検知方式の傾き検知部１１ｄは、使用者がハンドル１１ａａを握って掃除機本体１０を水平に構えたときにケース１１ｄａが略水平となるように、かつ、図５（Ａ）に示すように使用者が掃除機本体１０を略水平よりも下へ降ろすと投光部１１ｄｃおよび受光部１１ｄｄ側にボール１１ｄｂが移動し、かつ、図５（Ｂ）に示すように使用者が掃除機本体１０を略水平から上に上げると投光部１１ｄｃおよび受光部１１ｄｄ側とは反対側にボール１１ｄｂが移動するように、筐体１１ａ内に設けられている。
【００１６】
この傾き検知部１１ｄによれば、ボール１１ｄｂが投光部１１ｄｃと受光部１１ｄｄの間にあるとき（図５（Ａ）参照）は、ボール１１ｄｄによって投光部１１ｄｃからの光が遮られて受光部１１ｄｄが受光できないため、受光部１１ｄｄから制御部１１ｃに受けて検知信号が出力されない。また、ボール１１ｄｂが投光部１１ｄｃと受光部１１ｄｄの間にないとき（図５（Ｂ）参照）は、投光部１１ｄｃからの光が受光部１１ｄｄにて受光されるため、受光部１１ｄｄから制御部１１ｃに受けて検知信号が出力される。
【００１７】
また、筐体１１ａの外面付近には、報知部１１ｇとしてのスピーカ１１ｇａおよびスピーカ駆動回路が設けられると共に、報知部１１ｇとしてのＬＥＤ１１ｇｂおよびＬＥＤ駆動回路が設けられている。この場合、スピーカ１１ｇａは、スピーカ１１ｇａから発せられる音を使用者が聞き取りやすい位置（例えば、操作スイッチ１１ｈの前方近傍位置）に配置され、かつその位置の筐体１１ａにはスリット状の開口が設けられる。また、ＬＥＤ１１ｇｂは、ＬＥＤ１１ｇｂから発せられる光を使用者が視やすい位置（例えば、操作スイッチ１１ｈの前方近傍位置）に配置される。なお、報知部１１ｇは、スピーカ１１ｇａおよびスピーカ駆動回路と、ＬＥＤ１１ｇｂおよびＬＥＤ駆動回路とのうちのいずれか一方のみでもよい。
【００１８】
制御部１１ｃは、傾き検知部１１ｄからの検知信号が入力されると、報知部１１ｇに向けて所定の指令信号を出力する。
この際、報知部１１ｇとしてのスピーカ駆動回路に向けて出力される指令信号には適正なバッテリ接続位置を使用者に案内（報知）する内容の音声情報が含まれ、報知部１１ｇとしてのＬＥＤ駆動回路に向けて出力される指令信号にはＬＥＤを点灯または点滅させる指令情報が含まれる。なお、制御系の動作について詳しくは後述する。
【００１９】
筐体１１ａにおいて、その前部には延長管２０と接続される筒形の前記第１接続口１１ａｂが設けられ、第１接続口１１ａｂよりも後方には集塵ユニット１２の後述する集塵容器１２ａと接続する第２接続口１１ａｃが設けられ、第２接続口１１ａｃよりも後方には集塵ユニット１２の後述するフィルタ部１２ｂと接続する第３接続口１１ａｄが設けられている。
また、筐体１１ａ内には図示しない電動送風機駆動回路と電気的に接続された一対のリード線（不図示）が設けられると共に、一対のリード線の先端にはそれぞれ雌型端子１１ａｅが設けられており、一対の雌型端子１１ａｅは第１接続口１１ａｂの開口部近傍に配置されている。
【００２０】
図１と図２に示すように、集塵ユニット１２は、前記集塵容器１２ａと、集塵容器１２ａに着脱可能に装着される前記フィルター部１２ｂとを有する。
集塵容器１２ａは、駆動装置１１の前記第２接続口１１ａｃと接続可能な流入口（不図示）を有する。
フィルター部１２ｂは、集塵ユニット１２の駆動装置１１への装着時に筐体１１ａの前記第３接続口１１ａｄと接続される。
【００２１】
このように構成された掃除機本体１０によれば、電動送風機１１ｂの駆動時において、第１接続口１１ａｂから吸い込まれたダストを含む空気は、第２接続口１１ａｃから集塵容器１２ａ内に流入する。そして、ダストは集塵容器１２ａ内に捕集され、ダストが除去された空気がフィルター部１２ｂを通過して掃除機本体１０の筐体１１ａ内に流入し、電動送風機１１ｂを通過して図示しない排気口から排出される。
【００２２】
＜延長管＞
図１に示すように、延長管２０は、掃除機本体１０の第１接続口１１ａｂと接続される一端部２１ａおよび吸込口体３０の後述する接続管部３２と接続される他端部２１ｂを有する管本体２１と、管本体２１の外面裏側に沿って長手方向に設けられた一対の導電体２２と、一対の導電体２２を覆うカバー部材（不図示）とを有する。
【００２３】
各導電体２２は、絶縁材料にて被覆されたリード線と、リード線の両端部に電気的に接続された雄型端子および雌型端子とをそれぞれ有し、延長管２０の一端部２１ａ側に雄型端子が配置され、延長管２０の他端部２１ｂ側に雌型端子が配置されている。
延長管２０の一端部２１ａを掃除機本体１０の第１接続口１１ａｂに差し込んで接続することにより、延長管２０の一対の雄型端子が掃除機本体１０の一対の雌型端子１１ａｅと電気的に接続する。
【００２４】
＜吸込口体＞
図１および図３に示すように、吸込口体３０は、吸込口（不図示）を有する吸込口本体３１と、延長管２０の他端部２１ｂと接続される前記接続管部３２と、吸込口本体３１と接続管部３２とを連結する関節部３３とを備える。
【００２５】
吸込口本体３１は、筐体３１ａの右側後部に設けられたバッテリ接続部としてのバッテリ装着部３１ｂを備えている。
このバッテリ装着部３１ａは、筐体３１ａの右側後部に形成された凹部に左右方向の水平軸心を中心として上下方向（矢印Ａ方向）に揺動可能に取り付けられている。つまり、バッテリ装着部３１ａは、正規ポジションである後方の略水平状態から２点鎖線で示す略垂直状態までの範囲で揺動可能であり、正規ポジションにおいて後方および下方に開口したケース形状（上壁３１ａａ、左側壁３１ａｂ、右側壁３１ａｃおよび図示しない前壁を有する形状）に形成されている。なお、バッテリ装着部３１ａの位置はこの位置にかぎらない。例えば、関節部３３の下部に設けてもよい。
【００２６】
吸込口体３０側のバッテリ装着部３１ａも、掃除機本体１０側のバッテリ装着部１１ｅと同様に、左側壁３１ａｂおよび右側壁３１ａｃにはガイド溝部が設けられ、かつ、図示しない前壁にはバッテリ装着部３１ａに装着されたバッテリ４０の給電端子と電気的に接続する受電端子（不図示）を有しており、受電端子はリード線を介して接続管部３２の後述の一対の雄型端子３２ｂに電気的に接続されている。
【００２７】
関節部３３は、吸込口本体３１の筐体３１ａの左右中央位置の後部に前後方向の水平軸心を中心として左右方向に回動可能に設けられている。
接続管部３２は、略垂直状態のポジション（図３参照）において、関節部３３の後端部に左右方向の水平軸心を中心として上下方向に揺動可能に設けられている。
また、接続管部３２は、その先端側の接続口部３２ａの近傍に段部が設けられており、この段部に前記一対の雄型端子３２ｂが設けられている。
吸込口体３０の接続管部３２の接続口３２ａを延長管２０の他端部２１ｂに差し込んで接続すると、吸込口体３０側の一対の雄型端子３２ｂが延長管２０側の前記一対の雌型端子（不図示）に電気的に接続される。
【００２８】
＜スティック型電気掃除機の清掃時の動作について＞
図６は実施形態１のスティック型電気掃除機の床面清掃状態を示す説明図であり、図７は実施形態１のスティック型電気掃除機の壁面清掃開始前の状態を示す説明図であり、図８は実施形態１のスティック型電気掃除機の壁面清掃状態を示す説明図である。なお、ここでいう壁面は、掃除機本体１０の第１接続口１１ａｂを水平方向よりも上方に持ち上げて掃除する必要がある壁面である。
本発明のスティック型電気掃除機Ａ１は、図６に示すように、床面Ｆを清掃する際はバッテリ４０を吸込口体３０側のバッテリ装着部３１ｂに装着して使用する。この際、図３の２点鎖線で示すように、バッテリ装着部３１ｂを矢印Ａ方向の上方へ持ち上げて垂直状態にすることによってバッテリ４０をバッテリ装着部３１ｂへ上方から容易に装着することができる。これにより、吸込口体３０側のバッテリ４０からの電力が延長管２０を介して掃除機本体１０側の電動送風機１１ｂに供給可能となる。
【００２９】
清掃する際、バッテリ４０を装着したバッテリ装着部３１ｂを矢印Ａ方向の下方へ揺動して水平状態にすることにより、例えば、ソファーの下のような高さ方向が狭い場所を掃除する際に吸込口体３０から上方へ突出したバッテリ４０がソファーに当たって邪魔となるようなことがなくなる。また、例えば、ダイニングのテーブルや椅子の下といった比較的高さ方向が広い場所や、壁と冷蔵庫の側面との間のような左右方向の幅が狭い隙間を清掃する際は、ハンドル操作によって吸込口体３０を右方向にも向けやすいように、バッテリ４０を装着したバッテリ装着部３１ｂを矢印Ａ方向の上方へ揺動して垂直状態にしておいてもよい。
【００３０】
本発明のスティック型電気掃除機Ａ１によれば、床面Ｆの清掃時は重量物であるバッテリ４０を吸込口体３０側に配置することができるため、使用者の手元が軽くなり、ハンドル１１ａａの操作性が向上する。
このような床面Ｆの清掃中は、図６に示すように、掃除機本体１０の重力方向に対する傾き具合（傾斜角度θ）が所定の傾斜角度（例えば、９０°）以下となっており、このとき図５（Ａ）に示すように、傾き検知部１１ｄのボール１１ｄｂが投光部１１ｄｃと受光部１１ｄｄとの間に移動しているため、受光部１１ｄｄから制御部１１ｃに向けて検知信号が出力されていない（図１、図４参照）。
【００３１】
その後、使用者が高い箇所を清掃する場合について説明する。なお、本実施形態では、高い箇所の一例として、壁面Ｗを用いて説明するが、高い箇所としては、壁面以外に、棚の上やエアコンなどであってもよい。図７に示すように、使用者が壁面Ｗを清掃しようとしてスティック型電気掃除機Ａ１を水平状に持ち上げていくと、傾き検知部１１ｄのケース１１ｄａが水平状態に近づいていく。そして、掃除機本体１０の第１接続口１１ａｂが水平方向よりも上を向くと、すなわち掃除機本体１０の重力方向に対する傾き具合（傾斜角度θ）が所定の傾斜角度（例えば、９０°）を超えると、図５（Ｂ）に示すように、ケース１１ｄａが水平状態を超えて反対側へ傾き、ボール１１ｄｂが投光部１１ｄｃと受光部１１ｄｄとの間から反対側へ転がる。
これにより、投光部１１ｄｃから出射された光が受光部１１ｄｄにて受光され、受光部１１ｄｄから制御部１１ｃに向けて検知信号が出力される（図１、図４参照）。
【００３２】
制御部１１ｃに検知信号が入力されると、制御部１１ｃから報知部１１ｇに向けて指令信号が出力される。
報知部１１ｇがスピーカ１１ｇａおよびスピーカ駆動回路を含む場合、適正なバッテリ接続位置を使用者に案内する情報を含む指令信号がスピーカ駆動回路に入力され、それによってスピーカ１１ｇａから例えば「バッテリを掃除機本体側へ装着することをお勧めします。」といった音声が発せられる。
また、報知部１１ｇがＬＥＤ１１ｇｂおよびＬＥＤ駆動回路を含む場合、ＬＥＤ駆動回路に指令信号が入力され、それによってＬＥＤ１１ｇｂが点灯または点滅する。なお、ＬＥＤ駆動回路を省略し、制御部１１ｃからの指令信号が直接ＬＥＤ１１ｇｂへ入力されてＬＥＤ１１ｇｂが点灯または点滅するようにしてもよい。
【００３３】
このように、吸込口体３０側のバッテリ装着部３１ｂにバッテリ４０が装着されたスティック型電気掃除機Ａ１を持ち上げると、報知部１１ｇが音声および光を発して適正なバッテリ接続位置が掃除機本体１０側であることを使用者に案内（報知）する。すなわち、使用者は、高い箇所に位置する壁面Ｗを清掃しようとする際に、吸込口体３０側のバッテリ装着部３１ｂからバッテリ４０を取り外して掃除機本体１０側のバッテリ装着部１１ｅに装着し直すことを促される。
【００３４】
報知部１１ｇからの案内にしたがって吸込口体３０側のバッテリ装着部３１ｂからバッテリ４０を取り外して掃除機本体１０側のバッテリ装着部１１ｅに装着し直すことにより、図８に示すように、吸込口体３０側にバッテリ４０を配置する場合よりも吸込口体３０側が軽くなり、高い箇所に位置する壁面Ｗを清掃する際にハンドル１１ａａを支持する使用者の手首、腕等の負担が軽減される。なお、掃除機本体１０側のバッテリ装着部１１ｅにバッテリ４０が装着された状態では、受光部１１ｄｄから検知信号が制御部１１ｃに入力されていても制御部１１ｃから報知部１１ｇへ向けて指令信号は出力されない。
【００３５】
（実施形態２）
図９は実施形態２のティック型電気掃除機における掃除機本体を示す左側面図であり、図１０は実施形態２のティック型電気掃除機における吸込口体を右側後方から視た斜視図である。なお、図９および図１０において、図１〜図８中の要素と同様の要素には同一の符号を付している。
実施形態２のティック型電気掃除機は、掃除機本体１１０および吸込口体１３０にそれぞれ設けられたバッテリ接続部の構成が実施形態１とは異なる以外は、実施形態１と概ね同様に構成されている。以下、実施形態２における実施形態１とは異なる点を主に説明する。
【００３６】
実施形態２のスティック型掃除機は、掃除機本体１１０、実施形態１と同様の延長管２０（図１参照）、吸込口体１３０およびバッテリ４０に加えて、バッテリ４０を着脱可能に装着するバッテリホルダ１５０を備えている。
このバッテリホルダ１５０は、実施形態１における吸込口体３０に設けられたバッテリ装着部３１ｂ（図３参照）を掃除機本体１１０に着脱可能とするよう構成されたものであり、バッテリ装着部３１ｂと同様の構造を有する凹形の本体部１５０ａと、本体部１５０ａの前壁１５０ａａに設けられたブロック形の接続部１５０ｂと、本体部１５０ａの凹部内から接続部１５０ｂの前面に亘って設けられてバッテリ４０の図示しない給電端子と電気的に接続可能な中継端子１５０ｃとを有する。なお、中継端子１５０ｃの接続部１５０ｂ側の形状は雌型（凹型）となっている。
【００３７】
一方、図９と図１０に示すように、掃除機本体１１０にはバッテリホルダ１５０と着脱可能に接続するバッテリ接続部としての接続口部１１１ｂが設けられ、吸込口体１３０にはバッテリホルダ１５０と着脱可能に接続するバッテリ接続部としての接続口部１３１ｂが設けられている。
【００３８】
掃除機本体１１０の接続口部１１１ｂは、駆動装置１１１の筐体１１１ａの底部に水平軸心を中心に矢印Ｂ方向に揺動可能に、かつ、バッテリホルダ１５０の接続部１５０ｂを嵌め入れることができる形状およびサイズに形成されている。
この接続口部１１１ｂの奥部には、接続口部１１１ｂ内に嵌め込まれたバッテリホルダ１５０の接続部１５０ｂの中継端子１５０ｃと電気的に接続する雄型の受電端子１１１ｂａが設けられている。なお、受電端子１１１ｂａは、リード線を介して図示しない電動送風機駆動回路に電気的に接続されている。
【００３９】
吸込口体１３０の接続口部１３１ｂも、掃除機本体１１０の接続口部１１１と同様に、バッテリホルダ１５０の接続部１５０ｂを嵌め入れることができる形状およびサイズに形成されており、吸込口本体１３１の右側後部に水平軸心を中心に矢印Ｃ方向に揺動可能に設けられている。
また、接続口部１３１ｂの奥部にも、接続口部１３１ｂ内に嵌め込まれたバッテリホルダ１５０の接続部１５０ｂの中継端子１５０ｃ（図９参照）と電気的に接続する雄型の受電端子１３１ｂａが設けられている。なお、受電端子１３１ｂａは、リード線を介して接続管部３２の一対の雄型端子３２ｂと電気的に接続されている。
【００４０】
また、吸込口体１３０の接続口部１３１ｂの内面には、例えば、深さ方向に延びる台形のガイド凸条部１３１ｂｂ（図１０参照）が設けられており、掃除機本体１１０の接続口部１１１ｂにも同様にガイド凸条部（不図示）が設けられている。
一方、バッテリホルダ１５０の接続部１５０ｂの上面１５０ｂａにはガイド凸条部１３１ｂｂにスライド可能に嵌り込む図示しない溝部が設けられており、バッテリホルダ１５０の接続部１５０ｂを掃除機本体１１０の接続口部１１１ｂまたは吸込口体１３０の接続口部１３１ｂに適正な向きで嵌め込むことができ、かつ、抜けにくくしている。
【００４１】
実施形態２によれば、バッテリ４０を装着したバッテリホルダ１５０を掃除機本体１１０の接続口部１１１ｂまたは吸込口体１３０の接続口部１３１ｂに選択的に接続することができるため、掃除機本体１１０（駆動装置１１１）および吸込口体１３０のそれぞれのバッテリ接続部の構造を簡素化することができる。
なお、実施形態２のスティック型電気掃除機も、実施形態１と同様に、床面清掃の際はバッテリ４０を装着したバッテリホルダ１５０を吸込口体１３０の接続口部１３１ｂに接続してハンドル操作性を向上させ、壁面や天井面、棚の上、エアコン等の高い箇所を清掃する際はバッテリ４０を装着したバッテリホルダ１５０を掃除機本体１１０の接続口部１１１ｂに接続してハンドル１１ａａを支持する手首や腕等の負担を軽減させることができる。
【００４２】
（実施形態３）
図１１は実施形態３のスティック型電気掃除機を示す斜視図であり、図１２は実施形態３のスティック型電気掃除機の壁面清掃状態を示す説明図である。なお、図１１および図１２において、図１〜図８中の要素と同様の要素には同一の符号を付している。
実施形態３のティック型電気掃除機Ａ２は、掃除機本体２１０に設けられたバッテリ接続部の構成が実施形態１とは異なり、かつ、後述する有線給電装置２６０を備えたこと以外は、実施形態１と概ね同様に構成されている。以下、実施形態３における実施形態１とは異なる点を主に説明する。
【００４３】
図１１と図１２に示すように、有線給電装置２６０は、バッテリ４０を着脱可能に装着するバッテリホルダ２６１と、バッテリホルダ２６１に装着されたバッテリと電気的に接続する一端部２６２ａを有する電気コード２６２とを有する。
バッテリホルダ２６１は、バッテリホルダ２６１に装着されたバッテリ４０の給電端子と電気的に接続する図示しない中継端子を有する。
また、バッテリホルダ２６１は、バッテリ４０を装着する凹部とは反対側の外面に、フック２６１ａを有している。
【００４４】
電気コード２６２は、バッテリホルダ２６１の中継端子と電気的に接続する図示しない導線および導電を互いに絶縁材料にて被覆する被覆部材を有するコード本体２６２ａと、コード本体２６２ａの他端部に設けられたコネクタ部２６２ｂとを有する。
コネクタ部２６２ｂは、導線と電気的に接続する図示しない中継端子を有する。
【００４５】
実施形態３の場合、掃除機本体２１０の駆動装置２１１には、バッテリ接続部として有線給電装置２６０の電気コード２６２のコネクタ部２６２ｂと電気的に、かつ、着脱可能に接続する電気コード接続部２１１ａが設けられている。
電気コード接続部２１１ａは、電気コード２６２のコネクタ部２６２ｂを嵌め入れることができるよう凹形に形成されており、その奥部にはコネクタ部２６２ｂの中継端子（不図示）と電気的に接続する図示しない受電端子を有している。なお、電気コード接続部の受電端子（不図示）は、図示しないリード線を介して図示しない電動送風機駆動回路と電気的に接続されている。
【００４６】
実施形態３のティック型電気掃除機Ａ２は、吸込口体３０にバッテリ装着部３１ｂを有しているため、床面清掃時など低い箇所を清掃する場合には吸込口体３０のバッテリ装着部３１ｂにバッテリを装着してハンドル操作性を向上させることができる。
また、実施形態３のティック型電気掃除機Ａ２によれば、壁面や天井面、棚の上、エアコン等の高い箇所を掃除する際は、バッテリ装着部３１ｂから取り外したバッテリ４０を有線給電装置２６０のバッテリホルダ２６１に装着し、図１２に示すように、バッテリホルダ２６１のフック２６１ａ（図１１参照）を例えば使用者Ｕの腰のベルトＢに引っ掛け、電気コード２６２のコネクタ部２６２ｂを掃除機本体２１０の電気コード接続部２１１ａに接続して使用することができる。
【００４７】
これにより、バッテリホルダ２６１側のバッテリ４０からの電力を電気コード２６２を介して掃除機本体２１０側の電動送風機１１ｂに供給することが可能となる。また、吸込口体３０が軽くなるだけではなく、掃除機本体２１０も軽くなるため、ハンドル１１ａａを支持する手首や腕等の負担をより軽減することができると共に、高い箇所を清掃する際のハンドル操作性も向上する。
【００４８】
（他の実施形態）
１．実施形態１〜３では、光検知方式の傾き検知部１１ｄを用いる場合を例示したが、傾き検知部１１ｄは光検知方式に限定されず、例えば、傾斜センサ、加速度センサ、ジャイロセンサ等を用いてもよい。また、傾斜センサ、加速度センサ、ジャイロセンサ等のセンサを用いた場合、掃除機本体１０の傾斜角度を細かく検知することができるため、制御部１１ｃから報知部１１ｇへ向けて指令信号を出力するタイミングを自由に設定することができる。
【００４９】
２．実施形態１のスティック型電気掃除機Ａ１における掃除機本体１０の駆動装置１１の後部に、実施形態３の有線給電装置２６０の電気コード２６２のコネクタ部２６２ｂを着脱可能に接続する電気コード接続部２１１ａを設けてもよい。
この構成によれば、有線給電装置２６０のバッテリホルダ２６１に装着したバッテリ４０を予備として携帯しておき、掃除機本体１０側のバッテリ装着部１１ｅまたは吸込口体３０側のバッテリ装着部３１ｂに装着していたバッテリ４０の電池残量がなくなれば、予備のバッテリ４０の電力を有線給電装置２６０を介して掃除機本体１０側の電動送風機１１ｂに供給して使用時間を延長することができる。
【００５０】
３．実施形態１における吸込口体３０において、気流によって回転するタービンの回転力を利用して回転させる回転ブラシを吸込口本体３１の内部に設けてもよい。
４．実施形態１における吸込口体３０において、電力によって回転するモータの回転力を利用して回転させる回転ブラシを吸込口本体３１の内部に設けてもよい。このような構成において、吸込口体３０側のバッテリ装着部３１ｂにバッテリ４０が装着される場合、回転ブラシ駆動用モータは、バッテリ装着部３１ｂに装着されたバッテリ４０の電力で駆動する。このとき、吸込口体３０内にはモータ駆動回路が設けられ、モータ駆動回路と吸込口体３０側のバッテリ装着部３１ｂの受電端子とがリード線にて電気的に接続される。
一方、掃除機本体１０側のバッテリ装着部１１ｅにバッテリ４０が装着される場合、掃除機本体１０、延長管２０および吸込口体３０には、吸込口体３０側のバッテリ装着部３１ｂに装着されたバッテリ４０からの電力を電動送風機１１ｂに供給する大電流用の配線経路とは別に、掃除機本体１０側のバッテリ装着部１１ｅに装着されたバッテリ４０からの電力を延長管２０を介して吸込口体３０内のモータに供給するための小電流用の配線経路が必要となる。この配線経路が、吸込口体３０内のモータ駆動回路に接続される。
【００５１】
（まとめ）
本発明のスティック型電気掃除機は、電動送風機、集塵部およびハンドルを有する掃除機本体と、吸込口体と、前記掃除機本体と前記吸込口体とを接続する延長管と、前記電動送風機に電力を供給するバッテリとを備え、
前記掃除機本体および前記吸込口体は前記バッテリを選択的に、かつ、着脱可能に接続するバッテリ接続部をそれぞれ有し、
前記延長管は、前記バッテリが前記吸込口体の前記バッテリ接続部に接続されたときに前記掃除機本体と前記吸込口体とを電気的に接続して前記バッテリからの電力を前記電動送風機に供給する導電体を有する。
本発明のスティック型電気掃除機において、掃除機本体および吸込口体はバッテリを選択的に、かつ、着脱可能に接続するバッテリ接続部をそれぞれ有している。
この構成により、床面を清掃する際は吸込口体のバッテリ接続部にバッテリを接続して手元側を軽くすることによってハンドル操作を向上させることが可能となり、壁面や天井面などの高い箇所を清掃する際は掃除機本体のバッテリ装着部にバッテリを接続して吸込口体側を軽くすることによってハンドルを支持する手首および腕等の負担を軽減することが可能となる。
このように、本発明のスティック型電気掃除機によれば、清掃する箇所に応じてバッテリの取り付け位置を適正な位置に変えて楽に清掃することができる。
【００５２】
本発明のスティック型電気掃除機は、次のように構成されてもよく、それらが適宜組み合わされてもよい。
（１）少なくとも前記吸込口体の前記バッテリ接続部が、前記バッテリを着脱可能に装着する装着部と、装着された前記バッテリの給電端子に電気的に接続する受電端子とを有するバッテリ装着部であってもよい。
この構成によれば、掃除機本体と吸込口体のそれぞれにバッテリ装着部を設けた場合、掃除機本体のバッテリ装着部と吸込口体のバッテリ装着部に共通の１個のバッテリを付け替えて使用することができる。また、掃除機本体のバッテリ装着部と吸込口体のバッテリ装着部のそれぞれにバッテリを装着して使用することもできるため、スティック型電気掃除機の運転時間を２倍に延ばすことが可能である。
【００５３】
（２）前記バッテリを着脱可能に装着するバッテリホルダと、前記バッテリホルダに装着された前記バッテリにその一端が電気的に接続される電気コードとを有する給電装置をさらに備え、
前記掃除機本体の前記バッテリ接続部が、前記給電装置の前記電気コードの他端と電気的に、かつ、着脱可能に接続する電気コード接続部であってもよい。
この構成によれば、吸込口体にバッテリ装着部が設けられ、かつ掃除機本体に電気コード接続部が設けられた場合、次のように使用することができる。
例えば、吸込口体のバッテリ装着部にバッテリを装着して床面（低い箇所（低所））を清掃した後、壁面や天井面や棚の上やエアコン等の高い箇所（高所）を清掃する際は、吸込口体のバッテリ装着部から取り外したバッテリを給電装置のバッテリホルダに装着し、電気コードを掃除機本体の電気コード接続部に接続し、バッテリホルダを使用者の腰に取り付けることにより、吸込口体側を軽くして楽に清掃することができる。また、吸込口体のバッテリ装着部と給電装置のバッテリホルダのそれぞれにバッテリを装着して使用することもできるため、スティック型電気掃除機の運転時間を２倍に延ばすことが可能である。
【００５４】
（３）前記バッテリを着脱可能に装着するバッテリホルダをさらに備え、
前記掃除機本体および前記吸込口体のそれぞれの前記バッテリ接続部が、前記バッテリホルダと着脱可能に接続する接続口部を有し、
前記バッテリホルダは、前記バッテリの装着時に前記バッテリの給電端子と電気的に接続される中継端子を有し、
前記接続口部は、前記中継端子と電気的に接続可能な受電端子を有するものであってもよい。
この構成によれば、掃除機本体および吸込口体のそれぞれのバッテリ接続部の構造を簡素化することができると共に、各バッテリ接続部（接続口部）に１個のバッテリを１個のバッテリホルダを介して付け替えて使用することができる。
【００５５】
（４）前記掃除機本体および前記吸込口体のそれぞれが、前記接続口部を揺動可能に有するものであってもよい。
この構成によれば、接続口部を掃除機本体の底面から下方に降すことによってバッテリを装着したバッテリホルダを接続口部に簡単に装着することができ、その後、接続口部を掃除機本体の底面に沿うように揺動することによってバッテリおよびバッテリホルダが邪魔にならない。また、接続口部を吸込口体の上面から上方に上げることによってバッテリを装着したバッテリホルダを接続口部に簡単に装着することができ、その後、接続口部を吸込口体の後方へ揺動することによってバッテリおよびバッテリホルダが邪魔にならない。
【００５６】
（５）前記掃除機本体は、前記掃除機本体の重力方向に対する傾き具合を検知する傾き検知部と、案内を発するための報知部と、前記傾き検知部からの検知信号を受けて前記報知部に出力する制御部とをさらに備え、
前記制御部は、前記掃除機本体の傾き具合が所定の傾斜角度を超えると前記報知部を作動させるように構成されてもよい。
この構成によれば、吸込口体のバッテリ接続部にバッテリが装着された状態において、使用者が壁面や天井面や棚の上やエアコン等の高い箇所を清掃しようとすると、報知部から適正なバッテリ接続位置が掃除機本体のバッテリ接続部であることを使用者に知らせることができる。
【００５７】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５８】
１０、１１０、２１０  掃除機本体
１１ａａ  ハンドル
１１ｂ  電動送風機
１１ｃ  制御部
１１ｄ  傾き検知部
１１ｅ、３１ｂ  バッテリ装着部（バッテリ接続部）
１１ｇ  報知部
１２  集塵ユニット（集塵部）
２０  延長管
２２  導電体
３０、１３０  吸込口体
４０  バッテリ
１１１ｂ、１３１ｂ  接続口部（バッテリ接続部）
１１１ｂａ、１３１ｂａ  雄型端子
１５０、２６１  バッテリホルダ
１５０ｃ  中継端子
２１１ａ  電気コード接続部（バッテリ接続部）
２６０  有線給電装置
２６２  電気コード
Ａ１、Ａ２  スティック型電気掃除機
【図１】
2020062209.tif 000003
【図２】
2020062209.tif 000004
【図３】
2020062209.tif 000005
【図４】
2020062209.tif 000006
【図５】
2020062209.tif 000007
【図６】
2020062209.tif 000008
【図７】
2020062209.tif 000009
【図８】
2020062209.tif 000010
【図９】
2020062209.tif 000011
【図１０】
2020062209.tif 000012
【図１１】
2020062209.tif 000013
【図１２】
2020062209.tif 000014